(57)【特許請求の範囲】
【請求項１】
懸下部を有する害虫防除製剤の防護カバーであって、
該懸下部を含む製剤の全体を覆うことができ、該製剤と共に懸下可能であり、
前記製剤を前記防護カバーで覆った状態で該製剤を吊るした際に、上方に位置する端部は閉じている、防護カバー。
【請求項２】
前記防護カバーは、前記害虫防除製剤の懸下部の懸下部位に対応する懸下部位と、該懸下部位へ対象物の被懸下部位を導く案内部とを有する、請求項１に記載の防護カバー。
【請求項３】
前記防護カバーは、前記案内部として、該防護カバーの外縁から該防護カバーの前記懸下部位に到り、前記防護カバーの一部を捲り上げることを可能とする切り込みを有しており、そこから、前記懸下部の懸下部位に前記対象物の被懸下部位を導くことが可能な、請求項２に記載の防護カバー。
【請求項４】
前記切込みは、貫通孔から下方に向けて伸び、中央付近又はそれより下で方向を変えカバーの下側の外縁に達している、請求項３に記載の防護カバー。
【請求項５】
前記製剤を前記防護カバーで覆った状態で該製剤を吊るした際に、上方と下方に位置する端部は閉じている、請求項１〜４の何れか１項に記載の防護カバー。
【請求項６】
前記製剤を前記防護カバーで覆った状態で該製剤を吊るした後で、該防護カバーの外縁の少なくとも１部を閉じる手段を有する、請求項１〜５の何れか１項に記載の防護カバー。
【請求項７】
一枚のシート状材料で形成されている、請求項１〜６の何れか１項に記載の防護カバー。
【請求項８】
前記防護カバーは、筒状である、請求項５に記載の防護カバー。
【請求項９】
前記製剤を前記防護カバーで覆った状態で該製剤を吊るした際に、左右端が開口しており、そこから該製剤を挿入することが可能な、請求項１〜８の何れか１項に記載の防護カバー。
【請求項１０】
懸下部を有する害虫防除製剤の防護カバーを作製する方法であって、
該懸下部を含む製剤全体を覆うことが可能な大きさのシート状材料を用い、
該シート材料に、該懸下部の懸下構造に対応させて、該製剤と共に懸下可能になる構造であって、該製剤を該防護カバーで覆った状態で該製剤を吊るした際に、上方に位置する端部が閉じている構造を形成する、方法。
【請求項１１】
前記防護カバーは、シート状の材料を２つ折りし、或いは円筒形状のシート状の材料を用い、前記懸下部の懸下部位に対応する位置に懸下部位を設け、該防護カバーの該懸下部位に対象物の被懸下部位を導く案内部を形成する、請求項１０に記載の防護カバーの作成方法。
【請求項１２】
前記懸下部は、対象物の被懸下部位を通すための貫通孔と、該懸下部の外縁から該貫通孔へと該対象物の該被懸下部位を導く案内部とを有するか、或いは、フック形状であり、
該防護カバーは、シート状の材料を２つ折りし、或いは円筒形状のシート状の材料を用い、
該懸下部の該貫通孔及び該案内部に対応する位置に、又は該フック形状の懸下部の対象物の被懸下部位を通す位置及び該フック形状の開口位置に対応して、それぞれ貫通孔及び案内部を形成することで作成する、請求項１０に記載の防護カバーの作成方法。
【請求項１３】
前記防護カバーの前記案内部は、前記防護カバーの外縁から前記貫通孔又は前記フック形状の開口位置へ通じる切り込みである、請求項１２に記載の防護カバーの作成方法。
【請求項１４】
懸下部を有する害虫防除製剤を、請求項１から１３の何れか１項に記載の防護カバーで覆った状態で所定位置に懸下する害虫防除方法。
【請求項１５】
前記害虫防除剤は、捕食性天敵生物を含むパック製剤、対象害虫の性フェロモン物質を含有させた交信かく乱剤、及び忌避剤から選択される少なくとも１種を含む、請求項１４に記載の方法。
【請求項１６】
前記懸下部を有する害虫防除製剤に、他の害虫防除製剤を取り付けて、２種以上の害虫防除手段を同時に実行する請求項１４又は１５に記載の方法。
【請求項１７】
前記他の害虫防除製剤の取り付けにより、前記防護カバーの外縁の少なくとも１部を閉じる、請求項１６に記載の方法。
【請求項１８】
前記懸下部を有する害虫防除製剤は、捕食性天敵生物を含むパック製剤であり、前記他の害虫防除製剤は、該パック製剤に食害をもたらす生物に対する忌避剤である、請求項１６又は１７に記載の方法。
【発明の詳細な説明】
【技術分野】
【０００１】
本発明は、保護する植物体の一部などに懸下して用いられる害虫防除剤を、降雨による落下、農薬への暴露、及びネズミやナメクジなどの食害から保護するための防護カバー、その作成方法及び使用方法に関する。
【背景技術】
【０００２】
農作物の病害虫防除には、現在のところ、殺虫剤や殺菌剤などの化学物質を用いた防除がその主流を占めているが、他の生態系への影響を極力抑え、防除の目的とする病害虫のみを特異的に防除する手段が利用されるようになっている。例えば、捕食性天敵生物を用いる総合的病害虫管理（ＩＰＭ）法（例えば特許文献６及び７）、及び害虫の性フェロモンを用いる交信撹乱剤（特許文献４及び５）などを挙げることができる。
【０００３】
ＩＰＭ法では、害虫が発生する前に捕食能力を有する天敵生物を、農作物に予め定着、増殖させておくことで、害虫を低密度に維持するが、天敵生物を、農業害虫以外の代替餌で増殖しておく必要がある。このため、天敵生物と共に、フスマ、酵母、餌生物をボトル内に入れた製品や、不織布により作成された袋にこれらの成分を入れ、紙製の懸下手段クが付設されたパック製剤が販売されている。増殖環境を維持したまま設置できる点では、パック製剤が有利である。しかし、従来のパック製剤では、降雨により懸下部分が破壊されてパック製剤が落下してしまう問題や散布された農薬に直接曝されてしまうという問題が有った。また、ネズミやナメクジなどによる食害を受けることもあった。
【０００４】
天敵生物を農作物栽培の現場で害虫が少なくなっても長期的に維持させるために、天敵生物を直接、又はこれを含有するパック製剤を、餌や産卵場所を確保した増殖装置に入れるという技術が考案されている（特許文献１、２、及び３）。このような装置は、降雨による落下、農薬への直接的な暴露、及びネズミやナメクジなどによる食害からパック製剤を防護する点でも有効な手段と成り得る。
【０００５】
しかしこれらの装置は、実際には、天敵生物の増殖、及び害虫防除効果の点で、必ずしもパック製剤に対して優位性を有するほどの効果を奏するものではない一方、経済的な負担が大きく、農業現場での装置の組み立てに伴う作業負担も小さくない。
従って、より経済的負担が小さく、農作物の生産者が、簡単に害虫防除剤を設置可能な技術が求められている。
【先行技術文献】
【特許文献】
【０００６】
【特許文献１】特開２００７−３２５５４１
【特許文献２】特開２０１０−１８７６０６
【特許文献３】特許第５６８１３３４号
【特許文献４】特開２０１４−２３７６２５
【特許文献５】特許第３９１３８０９号
【特許文献６】特開２００６−１０９７２６
【特許文献７】特開２００６−１５８３４８
【発明の概要】
【発明が解決しようとする課題】
【０００７】
本発明は、害虫防除製剤を、降雨、農薬散布、及びネズミやナメクジなどの食害から保護することができ、且つ経済的負担が小さく簡単に製造・設置ができる保護カバーを提供することを目的とする。
本発明はまた、このような保護カバーを簡単に製造する方法及び設置する方法を提供することを他の目的とする。
【課題を解決するための手段】
【０００８】
上記の目的を解決するため、本発明は、以下の防護カバー、その作成方法及び使用方法を提供する。
【０００９】
［１］  懸下部を有する害虫防除製剤の防護カバーであって、
該懸下部を含む製剤の全体を覆うことができ、該製剤と共に懸下可能な防護カバー。
【００１０】
［２］  前記防護カバーは、前記害虫防除製剤の懸下部の懸下部位に対応する懸下部位と、該懸下部位へ対象物の被懸下部位を導く案内部とを有する、［１］に記載の防護カバー。
【００１１】
［３］  前記防護カバーは、前記案内部として、該防護カバーの外縁から該防護カバーの前記懸下部位に到り、前記防護カバーの一部を捲り上げることを可能とする切り込みを有しており、そこから、前記懸下部の懸下部位に前記対象物の被懸下部位を導くことが可能な、［２］に記載の防護カバー。
【００１２】
［４］  前記害虫防除製剤が、捕食性天敵生物が通過可能な孔を有するパック製剤の場合、前記切込みは、前記防護カバーを設置した際の該孔の位置からずらして設けられる、［３］に記載の防護カバー。
［５］  前記切込みは、貫通孔から下方に向けて伸び、中央付近又はそれより下で方向を変えカバーの下側の外縁に達している、[３]に記載の防護カバー。
【００１３】
［６］  前記懸下部は、対象物の被懸下部位を通すための貫通孔と、該懸下部の外縁から該貫通孔へと該対象物の該被懸下部位を導く案内部とを有し、
前記防護カバーは、該懸下部の該貫通孔及び該案内部にそれぞれ対応する位置に、貫通孔及び案内部を有する、［１］の防護カバー。
【００１４】
［７］  前記懸下部及び前記防護カバーの前記案内部は、それぞれ該懸下部及び該防護カバーの外縁から該貫通孔へ通じる切り込みである、［６］に記載の防護カバー。
【００１５】
［８］  前記懸下部は、フック形状であり、
前記防護カバーは、該懸下部の対象物の被懸下部位を通す位置に対応して貫通孔を有し、該フック形状の開口位置に対応して、該防護カバーの外縁から該貫通孔へと該植物の該被懸下部位を導く案内部を有する、［１］の防護カバー。
【００１６】
［９］  前記製剤を前記防護カバーで覆った状態で該製剤を吊るした際に、上方に位置する端部は閉じている、［１］〜［８］の何れか１項に記載の防護カバー。
【００１７】
［１０］  前記製剤を前記防護カバーで覆った状態で該製剤を吊るした際に、上方と下方に位置する端部は閉じている、［１］〜［８］の何れか１項に記載の防護カバー。
【００１８】
［１１］  前記製剤を前記防護カバーで覆った状態で該製剤を吊るした後で、該防護カバーの外縁の少なくとも１部、典型的には、上下端及び左右端の少なくとも１つの端部を閉じる手段を有する、［１］〜［１０］の何れか１項に記載の防護カバー。
【００１９】
［１２］  一枚のシート状材料で形成されている、［１］〜［１１］の何れか１項に記載の防護カバー。
【００２０】
［１３］  前記防護カバーは、筒状である、［１０］に記載の防護カバー。
【００２１】
［１４］  前記製剤を前記防護カバーで覆った状態で該製剤を吊るした際に、左右端が開口しており、そこから該製剤を挿入することが可能な、［１］〜［１３］の何れか１項に記載の防護カバー。
【００２２】
［１５］  懸下部を有する害虫防除製剤の防護カバーを作製する方法であって、
該懸下部を含む製剤全体を覆うことが可能な大きさのシート状材料を用い、
該シート材料に、該懸下部の懸下構造に対応させて、製剤と共に懸下可能になる構造を形成する、方法。
【００２３】
［１６］  前記防護カバーは、シート状の材料を２つ折りし、或いは円筒形状のシート状の材料を用い、前記懸下部の懸下部位に対応する位置に懸下部位を設け、該防護カバーの該懸下部位に対象物の被懸下部位を導く案内部を形成する、［１５］に記載の防護カバーの作成方法。
【００２４】
［１７］  前記懸下部は、対象物の被懸下部位を通すための貫通孔と、該懸下部の外縁から該貫通孔へと該対象物の該被懸下部位を導く案内部とを有するか、或いは、フック形状であり、
該防護カバーは、シート状の材料を２つ折りし、或いは円筒形状のシート状の材料を用い、
該懸下部の該貫通孔及び該案内部にそれぞれ対応する位置に対応して、又は該フック形状の懸下部の対象物の被懸下部位を通す位置及び該フック形状の開口位置に対応して、貫通孔及び案内部を形成することで作成する、［１５］に記載の防護カバーの作成方法。
【００２５】
［１８］  前記防護カバーの前記案内部は、前記防護カバーの外縁から前記貫通孔又は前記フック形状の開口位置へ通じる切り込みである、［１７］に記載の防護カバー。
【００２６】
［１９］  懸下部を有する害虫防除製剤を、［１］から［１４］の何れか１項に記載の防護カバーで覆った状態で所定位置に懸下する害虫防除方法。
【００２７】
［２０］  前記害虫防除剤は、捕食性天敵生物を含むパック製剤、対象害虫の性フェロモン物質を含有させた交信かく乱剤、及び忌避剤から選択される少なくとも１種を含む、［１９］に記載の方法。
【００２８】
［２１］  前記懸下部を有する害虫防除製剤に、他の害虫防除製剤を取り付けて、２種以上の害虫防除手段を同時に実行する［１９］又は［２０］に記載の方法。
【００２９】
［２２］  前記他の害虫防除製剤の取り付けにより、前記防護カバーの外縁の少なくとも１部、典型的には前記防護カバーの上下端及び左右端の少なくとも１つの端部を閉じる、［２１］に記載の方法。
【００３０】
［２３］  前記懸下部を有する害虫防除製剤は、捕食性天敵生物を含むパック製剤であり、前記他の害虫防除製剤は、該パック製剤に食害をもたらす生物に対する忌避剤である、［２１］又は［２２］に記載の方法。
【発明の効果】
【００３１】
本発明によれば、降雨による害虫防除製剤の落下及び農薬へ暴露が低減され、害虫防除効果を長期間維持することが可能となる。また、ナメクジなどによる食害から害虫防除製剤を防護することもできる。
【図面の簡単な説明】
【００３２】
【図１】本発明の一の実施形態による防護カバーを模式的に示す斜視図である。
【図２】図１に示す防護カバーで害虫防除剤を覆った状態を示す模式図である。図２Ａでは、防護カバーにより、貫通孔及び案内部を有する懸下部が付設された害虫防除製剤が覆れた状態を示し、図２Ｂでは、防護カバーにより、フック形状の懸下部が付設された害虫防除製剤が覆れた状態を示す。
【図３】本発明の他の実施形態による防護カバーを模式的に示す斜視図である。図３Ａでは、使用前の状態を示しており、切り込みが、貫通孔から下方に伸び、中央付近で左方に方向を変え、カバーの左端に到っている。図３Ｂは、使用中の状態を示しており、カバーの一部を捲り上げて対象の被懸下部位を害虫防除剤の懸下部の案内部を通じて貫通孔に導いている。
【図４】懸下部を有する害虫防除剤の一例を示す模式図である。
【図５】懸下部を有する害虫防除剤の他の一例を示す模式図である。
【図６】懸下部を有する害虫防除剤の更に他の一例を示す模式図である。
【図７】本発明の更に他の実施形態による防護カバーであって、貫通孔及び切り込みを形成後、最終的な使用形態にする前の状態を模式的に示す展開図である。中央部分から単に２つ折りにして最終的な使用形態になる。
【図８】本発明の更に他の実施形態による防護カバーを模式的に示す斜視図及び展開図である。この実施形態では、下端の長さが揃っておらず、一方の下端が他方の下端に対してはみ出している。害虫防除剤を設置後、はみ出した部分を折り返す事で、下端を閉じることができる。
【図９】本発明の更に他の実施形態による防護カバーを模式的に示す斜視図及び展開図である。この実施形態では、一方の下端の近傍に左又は右端の外延から一定長さで切り込みを入れることで短冊状の挿入部が形成され、他方の下端では、この挿入部が挿入可能な位置に切込みが設けられている。害虫防除剤を設置後、一方の下端の挿入部を他方の下端の切り込みに挿入する事で、下端を閉じることができる。
【図１０】本発明の更に他の実施形態による防護カバーを模式的に示す斜視図及び展開図である。この実施形態では、一方の下端の近傍に左又は右端の外延から一定長さで切り込みを入れることで短冊状の挿入部が形成され、他方の下端では、下端の近傍に右又は左端（すなわち一方の下端の切込みとは、逆の端部）の外延から一定長さで切り込みを入れることで短冊状の挿入部が形成されている。害虫防除剤を設置後、両下端の挿入部を相互に挿入して係合させて、下端を閉じることができる。
【図１１】本発明の更に他の実施形態による防護カバーを模式的に示す斜視図である。この実施形態では、筒状の形状を有するシート状材料で構成されている。
【図１２】本発明の一の実施形態による防護カバーの下部に、性フェロモン物質を含有する可撓性の接着テープ又はチューブを取り付けた例を模式的に示す斜視図である。パック製剤を防護カバーで覆った後にテープ又はチューブのはみ出した部分を折り返すことで防護カバーの下端が閉じられている。
【図１３】実施例１で作成した防護カバーの模式図である。サイズ、貫通孔及び切り込みなどはフック付き捕食性カブリダニパック製剤のサイズ、フック形状及び切り込み等に合致している。
【図１４】実施例１で作成した防護カバーの展開図である。貫通孔及び切り込みを形成後、最終的な使用形態にする前の状態を模式的に示す。中央部分から単に２つ折りにして最終的な使用形態になる。
【発明を実施するための形態】
【００３３】
以下、本発明の実施の形態を、図面を参照しながら具体的に説明する。但し、本発明はこれら実施の形態によって限定的に理解されるべきではない。
【００３４】
本発明の防護カバーは、図４及び４に示すような懸下部３を有する害虫防除製剤２を、降雨による落下、農薬への暴露、及びネズミやナメクジなどの食害から保護するための防護カバーである。
防護対象となる害虫防除剤２については、特に制限はなく、野外で何らかの対象物に吊るして用いられる害虫防除剤であれば、本発明の防護カバーを用いることができる。例えば、対象となる害虫に対する天敵である捕食性生物を含有するパック製剤、寄生蜂のマミーを貼り付けた天敵マミーカード、対象となる害虫の性フェロモンを含有する交信撹乱剤、及び忌避剤などを挙げることができる。
【００３５】
捕食性天敵生物を含有するパック製剤は、典型的には、パック中に捕食性天敵生物と、当該天敵生物が増殖可能な環境を提供するための成分とを含む製剤である。
害虫としては、例えばアザミウマ類、コナジラミ類又はハダニ類を挙げることができる。捕食性天敵生物としては、例えば、アザミウマ類及びコナジラミ類に対する捕食性天敵生物として、スワルスキーカブリダニ、ククメリスカブリダニ、リモニカスカブリダニ等を挙げることができ、ハダニ類に対する捕食性天敵生物として、ミヤコカブリダニ等を挙げることができ、アザミウマ類に対する捕食性天敵生物としてククメリスカブリダニ等を挙げることができる。
また、天敵生物が増殖可能な環境を提供するための成分としては、酵母、餌生物及びふすま等を挙げることができる。餌生物は、天敵生物に応じて変わるが、例えばスワルスキーカブリダニ、ククメリスカブリダニ及びリモニカスカブリダニ等の餌生物としては、サトウダニ、サヤアシニクザニ等を挙げることができ、ミヤコカブリダニ等の餌生物としては、サトウダニ、サヤアシニクザニ等を挙げることができ、ミヤコカブリダニ等の餌生物としては、サトウダニ、サヤアシニクザニを挙げることができ、ククメリスカブリダニ等の餌生物としては、ホウレンソウケナガコナダニ、ニセケナガコナダニ、オンシツケナガコナダニ、オオケナガコナダニ等の餌ダニや鱗翅目昆虫の卵等を挙げることができる。
パックは、典型的には不織布、紙コップ、コーヒーフィルターなどなどでできており天敵生物が野外にでるための孔や隙間が設けられている。
【００３６】
また、交信撹乱剤としては、例えば、Ｚ−７−ドデセニルアセテート、Ｚ−８−ドデセニルアセテート、Ｚ−９−ドデセニルアセテート、Ｅ，Ｚ−７，９−ドデカジエニルアセテート、Ｚ，Ｚ−７，９−ドデカジエニルアセテート、Ｅ，Ｅ−８，１０−ドデカジエノール、Ｅ−４−トリデセニルアセテート、Ｚ−９−テトラデセニルアセテート、Ｚ−９−テトラデセナール、Ｚ−１１−テトラデセニルアセテート、Ｚ−１１−テトラデセナール、Ｚ−９−ヘキサデセナール、Ｚ−  １１−ヘキサデセナール、Ｚ，Ｅ−９，１１−テトラデカジエニルアセテート、Ｚ，Ｅ−９，１２−テトラデカジエニルアセテート、Ｚ−１１−ヘキサデセニルアセテート、Ｚ，Ｚ−７，１１−ヘキサデカジエニルアセテート、Ｚ，Ｅ−７，１１−ヘキサデカジエニルアセテート、Ｅ，Ｅ，Ｚ−４，６，１０−ヘキサデカトリエニルアセテート、Ｅ，Ｅ−１０，１２−ヘキサデカジエナール、Ｚ，Ｚ−３，１３−オクタデカジエニルアセテート、Ｅ，Ｚ−３，１３−オクタデカジエニルアセテート、Ｚ−７，８−エポキシ−２−メチル−オクタデセン、Ｚ−１３−イコセン−１０−オン、Ｅ，Ｅ，Ｚ−１０，１２，  １４−ヘキサデカトリエニルアセテート、Ｅ，Ｅ，Ｚ−１０，１２，１４−ヘキサデカトリエナール、Ｚ−１０−テトラデセニルアセテート、Ｅ，Ｚ−４，１０−テトラデカジエニルアセテート、１４−メチル−１−オクタデセン、（Ｒ，Ｚ）−５−  （１−オクテニル）オキサシクロペンタン−２−オン、（Ｒ，Ｚ）−５−（１−デセニル）オキサシクロペンタン−２−オン等の性フェロモン等を含有する製剤を挙げることができる。
また、害虫忌避剤としては、例えばヒノキチオール、βドラブリン、ターピネオール、ツヨプセン、セデロール、テルピノール、テルピノーレン、リモネン、カンファー等を挙げることができる。
害虫防除製剤としては、捕食性生物を含有するパック製剤、寄生蜂のマミーを貼り付けた天敵マミーカード、対象となる害虫の性フェロモンを含有する交信撹乱剤、忌避剤及びその他の防除剤の２種以上を組み合わせてもよく、各種防除剤においても、異なる生物、又は化合物を２種以上組合せてもよい。例えば、捕食性生物を含有するパック製剤と害虫の性フェロモンを含有する交信撹乱剤との組合せ、捕食性天敵生物を含むパック製剤とパック製剤に食害をもたらす生物に対する忌避剤との組合せを好ましい例として挙げることができる。
【００３７】
図４及び４に示すように、本発明による保護カバーで防護する製剤２は、懸下部３を有し、害虫から保護する植物体やその近傍に在る構造物の一部などに懸下して用いられるものである。懸下部３は、種々の材料で構成し得るが、通常、製造費用を抑えるために厚紙、プラスチック等でできているのが一般的である。厚紙でできている場合では降雨に曝されると厚紙の強度が低下すると共に、製剤が水を吸収して重くなり、その重さを支えることができなくなって製剤が落下してしまう。プラスチックの場合でも製剤と懸下部との接着部分の強度が低下すると共に、製剤が吸水して重くなり、その重さを支えることができなくなって製剤が落下してしまう。
【００３８】
懸下部３の形状又は構造は、対象物に製剤を懸下可能とする形状又は構造であれば特に制限はなく、種々の形状、構造をとり得る。典型的な構造の１つは、図５に示すようなフック形状である。ここでフック形状は、先端が曲がってその部分で懸下可能となっている形状を意味し、様々な形状を含む用語として理解すべきである。典型的な構造の他の１つは、図４に示すような対象物の被懸下部位を通すための貫通孔５と、懸下部３の外縁から貫通孔５へと対象物の被懸下部位を導く案内部６とを有する構造である。案内部６の典型例は、切り込み７である。
また、懸下部の大きさも種々の大きさとすることができ、図４及び４に示す害虫防除製剤のように、パック又は防除剤部分４の幅より狭い幅の懸下部３としてもよく、図６に示す害虫防除製剤のように、パック又は防除剤部分４の幅とほぼ同じ幅の懸下部としてもよい。後者では、懸下部とパック又は防除剤部分４との接着面積大きくなることからより強固な接合が可能になるが、この場合でも、本発明の防護カバー無しでは、降雨等に対する耐性は充分ではない。
【００３９】
このような捕食性天敵生物を含有するパック製剤としては、例えばアリスタライフサイエンス（株）により、商品名「スワルスキープラス」及び「スパイカルプラス」で市販されているパック製剤、海外でバイオベスト社により商品名「スワルスキー・ブリーディングシステム（swirskii breeding system）」及び「アンブリセイウス・ブリーディングシステム（amblyseius breeding system）」で販売されているパック製剤等を挙げることができる。これらのパック製剤は、所定のサイズの不織布でできたパックにカブリダニなどの捕食性天敵生物、酵母、餌ダニ及びふすまなどを含み、パックは、天敵生物が放出される孔が設けられている。また、このパックには、厚紙製で所定の大きさの懸下部が設けられている。この懸下部は、対象物の被懸下部位を通すための貫通孔と、懸下部の外縁から貫通孔へ通じる切り込みが設けられており、この切り込みを通じて、対象物の被懸下部位が貫通孔へと導かれる。
【００４０】
本発明の防護カバーは、図２Ａに示す通り、上述のような害虫防除製剤（２）を、降雨や農薬への暴露を防ぎ、ナメクジ等の食害から防護するものであり、懸下部（３）を有する害虫防除製剤（２）の全体を覆うことができ、且つ害虫防除製剤（２）と共に懸下可能な形状及び構造を有する。
従って、本発明の防護カバーは、少なくとも懸下部（３）を含む製剤（２）の全体を覆うことができる大きさを有する必要がある。また、害虫防除製剤（２）の懸下部（３）に対応する構造又は形状を有し、製剤（２）と共に対象物に懸下できる必要がある。
【００４１】
害虫防除製剤（２）の懸下部（３）の形状又は構造としては、非常に多様な形状、構造が想定され得るが、本発明の防護カバー（１）の形状又は構造は、基本的には、害虫防除製剤（２）の懸下部（３）の形状又は構造に対応させて、製剤（２）と共に対象物に懸下できようにすればよい。例えば、図４に示すように、害虫防除製剤（２）の懸下部（３）が、対象物の被懸下部位を通すための貫通孔（５）と、懸下部（３）の外縁から貫通孔（５）へと対象物の被懸下部位を導く案内部（６）とを有する場合、図２Ａに示す通り、防護カバー（１）は、害虫防除製剤（２）の懸下部（３）の貫通孔（５）及び案内部（６）に対応する位置に、それぞれ貫通孔（１０）及び案内部（１１）を有する構造又は形状とすることができる。また、図５に示すように、害虫防除製剤（２）の懸下部（３’）がフック形状の場合、図２Ｂに示す通り、防護カバー（１）は、害虫防除製剤（２）の懸下部（３）における対象物の被懸下部位を通す位置（８）に対応して貫通孔（１０）を有し、フック形状の開口位置（９）に対応して、防護カバーの外縁から貫通孔（１０）へと対象物の被懸下部位を導く案内部（１１）を有する構造又は形状とすることができる。
一方、例えば、図３Ａに示すように、防護カバー（１）の案内部（１１）は、必ずしも害虫防除製剤（２）の懸下部（３）に設けられる案内部（６）と対応する位置に設けなくともよい。図２Ｃに示す例では、貫通孔（１０）から下方に向けて切り込み（１２）が伸び、中央付近で方向を左に変えカバーの左端に達しており、図３Ｂに示すように、このような切り込み（１２）によりカバー（１）の一部（３１）を捲り上げることができ、害虫防除製剤（２）の懸下部（３）に設けられた案内部（６）を通じて対象物の被懸下部位３２を貫通孔（５、１０）に導くことができる。例えば、天敵生物を含有するパック製剤の場合には、通常パックに天敵生物が外部環境に放出可能になるような孔が設けられており、これと防護カバーの案内部が重なると外部からこの孔を通じてパック内に水が浸入し易くなる。このような場合には、パック製剤に設けられた孔の位置と防護カバーの案内部の位置が重ならないようにすることが好ましく、その結果、図３Ａ及びＢに示すように、防護カバー１の案内部１１が、害虫防除製剤２の懸下部３に設けられる案内部６と対応しない位置に設けることがある。
対象物の被懸下部位を通すための貫通孔５、１０は、例えば、被懸下部位の径より小さな孔とし、更に放射状に複数個所に切り込みを有する構造とすることもできる。また、案内部１１の典型例は、防護カバー１の外縁から貫通孔１０へ通じる切り込みである。
【００４２】
本発明の防護カバーを構成する基材については特に制限はなく、種々の材料で構成することができる。もっとも、材料コストが許容可能な範囲であると共に、降雨や農薬散布からパック製剤を保護し得る程度の防水性及びネズミやナメクジなどの食害から保護し得る強度又は特性を有する材料が好ましく、更に可撓性を有している材料が好ましい。このような基材としては、例えばポリエチレンフィルム、ポリエステルフィルム、ポリウレタンフィルムなどから選ばれる少なくとも一種の合成樹脂、金属箔及び不織布などを単独又は複数積層したシート状材料を挙げることができる。
【００４３】
また、本発明の防護カバーを構成する基材として、種々の形状又は構造の材料を選択することができる。例えば、一枚のシート状材料、筒状の材料、袋状の材料などを利用することができる。また防護カバーを構成するこれらの材料は、通常０．０１ｍｍ〜２．５ｍｍの厚さを有し、０．１ｍｍ〜０．５ｍｍの厚さを有することが好ましい。例えば、製品名タイベックシートとして市販されている厚さ０．１３〜０．１７ｍｍの高密度ポリエチレン不織布を本発明の防護カバーを構成する好適な基材として用いることができる。
【００４４】
上述からも理解できる通り、本発明の防護カバーは、極めて簡単に作成可能である。例えば、図１及び６に示す通り、最終的に害虫防除製剤の全体を覆うことができる大きさの、１枚のシート状の基材１７を準備し、上述したような害虫防除製剤の懸下部に対応した形状又は構造を所定位置に設け、それを中央で二つ折りすることで作成することができる。図１及び６の例では、害虫防除製剤の懸下部の貫通孔及び案内部にそれぞれ対応する位置に、貫通孔１０及び切り込み１１を設けているが、害虫防除製剤の懸下部の形状又は構造に応じて種々の形状又は構造とすればよい。また、この例では、防護カバー１の外形は矩形であるが、懸下部の形状に応じて、ハサミなどを用いて適宜所望の形状にすることができる。また、この例の防護カバー１では、折り目に相当する位置で閉じた端部１３が形成されるが、製剤を防護カバーで覆った状態で製剤を吊るした際に、この端部１３を上方に位置させることが好ましい。このようにすることで、効果的に降雨に対する耐性を高めることができる。また、左右端（１５、１５’）、下方端（１３、１３’）が開いていることは、パック製剤を設置して吊るす際に非常に操作が容易となる。パック製剤を設置後、防護カバーの下端（１３）をホチキスなどで止めて、防護カバーと製剤との隙間を無くすことができ、これにより防護効果を高めることができる。あるいは、図８に示すように、一方の下端（１３）が他方の下端（１３’）に対してはみ出すような長さとしておき、パック製剤を設置後、はみ出している部分（１９）を折り返して下端を閉じてもよいし、図９に示す通り、一方の下端（１３）に切り込みを入れて、短冊状の挿入部（２０）を形成し、他方の下端（１３’）に、防護カバー取り付け時に当該挿入部（２０）が挿入可能な切込み２３を設けておき、パック製剤を設置後、一方の下端（１３）の挿入部（２０）を他方の下端の切込み（２３）に挿入して、下端（１３、１３’）を閉じてもよいし、図１０に示すように、防護カバーの両方の下端（１３、１３’）に、相互に差し込んで係合させることが可能な挿入部（２２，２３）を形成し、パック製剤を設置後、挿入部（２２、２３）を相互に差し込んで係合させることで、下端（１３、１３’）を閉じてもよい。
【００４５】
また、図１１に示すように、筒状の基材（１８）で防護カバー１を作製する場合も、基本的に同様であり、所定の位置に、害虫防除製剤の懸下部の形状又は構造に対応する形状又は構造を設けて、製剤と共に懸下可能にすればよい。筒状の基材で作成された防護カバーの場合も、製剤を左右の開口部からスライドさせるように中央に移動させて設置することができる。
【００４６】
本発明の防護カバーは、他の防除剤を含んでもよく、又は他の防除製剤を取り付けて用いても良い。前者の例としては、例えば、性フェロモン物質等の交信錯乱剤や忌避剤を含有させた基材で作成され、天敵昆虫を含むパック製剤を防護する防護カバーを挙げることができ、後者の例としては、天敵昆虫を含むパック製剤を防護する防護カバーに、交信錯乱剤や忌避剤を含有する他の製剤を取り付けることが挙げられる。特に後者の例では、例えば、図１２に示すように、交信錯乱剤や忌避剤を含有する他の製剤１６を取り付ける際に、防護カバーの開口端（例えば下端１３）に設置して、防護カバー１と防護対象の製剤との隙間を無くする利用態様を挙げることができる。より具体的な例としては、可撓性のテープ又はチューブ（１６、通常接着手段を有する）に、交信錯乱剤や忌避剤を放出可能に保持し、この可撓性のテープ又はチューブ１６を防護カバーの開口端（例えば下端１３）に一部がはみ出るようにして取り付け、防護対象の製剤２を所定位置に設置した後にテープ又はチューブ１６のはみ出した部分を折り返して防護カバー１の開口端１３を閉じることができる。
【００４７】
交信錯乱剤や忌避剤を保持できる物質としては、ポリエチレン、ポリプロピレン等の高分子ポリマーが挙げられ、テープの素材としてはゴム、可撓性金属など可撓性を有する可撓性材料が好ましい。また、例えばコンフューザーＲなどの商品名で市販されている交信撹乱剤を含むポリエチレン製チューブを利用してもよい。
【００４８】
また、交信錯乱剤としては、例えば、捕食性天敵生物で防除する害虫とは異なるが、同じ作物に対して害をもたらす生物を対象とするものを挙げることができる。例えば、捕食性天敵生物による防除対象がカブリダニである防除剤に、鱗翅目害虫などを対象とする交信錯乱剤を組合せる例が挙げられる。また、忌避剤としては、捕食性天敵生物を含むパック製剤に食害をもたらす生物に対する忌避剤を好ましい例として挙げることができる。
【実施例】
【００４９】
以下、実施例により本発明をより具体的に説明するが、本発明の技術的範囲はこれらの例示に限定されるものではない。
【００５０】
１．防護カバーの作成
（実施例１）
天敵生物を含むパック製剤は、日本国内では、例えばアリスタライフサイエンス（株）により、商品名「スワルスキープラス」及び「スパイカルプラス」で市販されており、海外ではバイオベスト社により、商品名「スワルスキー・ブリーディングシステム（swirskii breeding system）」及び「アンブリセイウス・ブリーディングシステム（amblyseius breeding system）」で販売されている。
これらの製品は、幅６０ｍｍ、長さ６５ｍｍのパックにカブリダニやふすまなどが含有されカブリダニが放出される孔が設けられている。また、厚紙製で幅３５ｍｍ〜６０ｍｍ、長さ４５ｍｍ〜５０ｍｍの大きさの懸下部が付設されている。この懸下部は、被懸下対象物の一部を通すための直径１５ｍｍの円形の貫通孔を有し、その貫通孔から、懸下部の外縁に達する切り込みが設けられており、この切り込みを通じて、被懸下対象物の一部が貫通孔へと導かれる。
本実施例では、この市販のパック製剤の防護カバーの作成例を示す。図１３は、使用時の防護カバー１を示し、図１４は、その展開図を示す。防護カバー１の基材として、製品名タイベックシート（デュポン社製）として市販されている厚さ０．１３〜０．１７ｍｍの高密度ポリエチレン不織布を用い、幅７５ｍｍ、長さ２２０ｍｍに切断して利用した。長さ１１０ｍｍと均等になるように中央で二つ折りし、折り目から１０ｍｍ、左右端から２９．５ｍｍの位置で直径１５ｍｍの円形の貫通孔１０が形成されるように切り抜いた。また、貫通孔１０の下部から基材の左端まで、パック製剤の懸下部の切り込みに対応する位置に、切り込み１１を入れて被懸下対象の一部を切り込みを通じて貫通孔１０へ案内可能にした。後述する評価試験では、防護カバーの貫通孔及び切り込みを、パック製剤の懸下部の貫通孔及び切り込みに一致させ、懸下部を含むパック製剤の全体が覆われるように防護カバーをパック製剤に取り付けた。
なお、この実施例の防護カバーは、現在市販されているパック製剤に合わせた形状、構造を示しており、他の大きさ、形状、構造の製剤については、当然にそれに合わせて防護カバーが作成されることは言うまでもない。
【００５１】
２．防護カバーの評価
実施例で作成された防護カバーについて、性能を評価した。
【００５２】
２−１．害虫防除効果への影響
スワルスキーカブリダニを含有したパック製剤（市販製品名：スワルスキープラス）に、実施例１で作成した防護カバーを取り付けたパック製剤をプラスチックカップに入れて、２５℃、湿度８０〜９０％の条件下に放置した。７日間隔でパック製剤から放出されてきたスワルスキーカブリダニ数を計数した。
【００５３】
【表１】
0006016995.tif 000002
【００５４】
防護カバーの取り付けの有無に関わらず、パック製剤からのカブリタニの放出では両者に有意差はなかった。
【００５５】
２−２．耐雨性評価
露地で栽培されているナスの枝にスワルスキーカブリダニを含有したパック製剤（市販製品名：スワルスキープラス）を雨天時に吊り下げるとともに、一方は実施例１で作成した防護カバーを取り付けて吊り下げた。吊り下げたパック製剤の数は、なす圃場３０ｍ２当り１５パックとした。
【００５６】
【表２】
0006016995.tif 000003
【００５７】
防護カバーの取り付けにより、明らかに雨天におけるパック製剤の落下が防止された。
【００５８】
２−３．食害に対する防護効果の評価
捕食性カブリダニを含有したパック製剤（市販製品名：スパイカルプラス）と防護カバーを取り付けたパック製剤をプラスチックカップに入れて、さらに圃場（茨城県つくば市）で採集したナメクジ（コウラナメクジ科の一種）を５頭入れて２５℃、湿度８０〜９０％の条件下に放置した。１０日後にパック製剤表面の食害面積を算出して被害抑制効果の有無を確認した。
【００５９】
【表３】
0006016995.tif 000004
【００６０】
防護カバーの取り付けにより、明らかにナメクジによる食害を抑制していることが分かった。
【００６１】
２−４．夏秋栽培の露地ナスにおけるアザミウマ類防除効果
夏秋栽培の露地ナス圃場において、アザミウマ類防除を目的にスワルスキーカブリダニが含有されたパック製剤を利用して防除を行った。本試験は、６月上旬から７月下旬の梅雨の時期を含む露地での試験であり、試験期間（全６１日）を通じて雨天は合計２０日あった。使用したパック製剤はアリスタライフサイエンス（株）販売のもので、１０ａ当り２００パック相当を施用し、試験区１では、パック製剤に防護カバーを取り付けた。一方、試験区２ではカバーを取り付けずにそのままパック製剤を設置した。対照として無処理区（無放飼区）を設けた。１試験区２０ｍ２、３反復とした。
【００６２】
【表４】
0006016995.tif 000005
【００６３】
試験期間中に設置した防護カバー無しのパック製剤は、試験期間終了時には取り付けたナスの枝から全てが落下していたが、防護カバーを取り付けて吊り下げたパック製剤は同時期に全てが吊り下げられたままの状態であった。一般的に夏秋栽培の露地ナスでは５月から６月にかけて定植し１０月頃まで収穫を続けていく。従って、定植して１ヶ月経過すると北海道を除く各地域では梅雨時期となる。このため化学農薬の散布もできず、害虫が次第に増加して、梅雨明けとともに爆発的に増加、被害が目立つようになる。露地ナスのアザミウマ防除でのスワルスキーカブリダニ製剤施用はこのような化学農薬の弱点を補うためにも非常に有効であるが、さらに防護カバーを取り付けることで持続性が向上し、いつでも天敵であるカブリダニが放出される基地を提供することができる。
【００６４】
２−５．交信錯乱剤との併用による効果の評価
試験区では、実施例１で作成した防護カバーでミヤコカブリダニを含有したパック製剤（市販製品名：スパイカルプラス）を覆った後、防護カバーの下部に、リンゴコカクモンハマキ、ミダレカクモンハマキ、リンゴモンハマキ、モモシンクイガ、ナシヒメシンクイに対して農薬登録を有する交信撹乱剤をポリエチレン製チューブ内に保持するコンフューザーＲ（協有アグリ株式会社製）を、水平に取りつけ、両端を折り返して防護カバーの下端を閉じた。対照区は防護カバーでパック製剤覆った後、コンフューザーＲ（協有アグリ株式会社製）を取り付けずのまま使用した。梨圃場（福島県飯坂市）にて試験区、対照区ともに１０ａ当り１００パックを吊り下げた。
コンフューザーＲの効果として１ヵ月後にフェロモントラップをかけてモモシンクイガ成虫の捕獲数を、パック製剤の効果については１ヵ月後の梨の葉に生息するハダニ数を比較した。
【００６５】
【表５】
0006016995.tif 000006
【００６６】
ハダニ類の捕食性天敵であるミヤコカブリダニを含有したパック製剤に防護カバーを取り付け、さらに便宜上コンフューザーＲを取り付けて使用した場合、モモシンクイガの成虫が捕獲されずかつハダニの密度も低く抑えることができた。一方、防護カバーのみではハダニ密度は抑えられたもののモモシンクイガに対する効果は認められなかった。防護カバーを取り付けないパック製剤使用区ではハダニ密度は無処理よりも低く抑えたが、降雨により落下したものもあり、防水カバー使用区に比べるとハダニの密度は高かった。
【産業上の利用可能性】
【００６７】
上述の通り、本発明の防護カバーは、害虫防除製剤の降雨による落下を防ぎ、ネズミやナメクジなどの食害からパック製剤を保護することができ、持続的に防除効果を発揮することができる。
他の害虫を対象とする防除剤、又は交信撹乱剤や忌避剤などの異なるタイプの防除剤との併用も簡単であり、異なる防除を簡単に同時に実施することができ、種々の総合防除方法を提供する。
【符号の説明】
【００６８】
１．防護カバー（シートを２つ折にして作成）
１’．防護カバー（筒状）
２．害虫防除製剤
３．懸下部
４．パック、防除剤
５．貫通孔
６．案内部
７．切り込み
８．被懸下部位を通す部位
９．フックの開口位置
１０．貫通孔
１１．案内部
１２．切り込み
１３、１３’．防護カバーの下端
１４．防護カバーの上端
１５、１５’．防護カバーの左右端
１６．他の防除製剤、交信錯乱剤や忌避剤を放出可能に保持する可撓性のテープ又はチューブ
１７．シート状基材
１８．筒状の基材
１９．はみだし部分
２０、２１、２２．挿入部
２３．切りこみ
３１．捲り上げ部位
３２．対象物の被懸下部位
【要約】      （修正有）【課題】害虫防除製剤を、降雨、農薬散布、及びネズミやナメクジなどの食害から保護することができ、且つ経済的負担が小さく簡単に製造・設置ができる保護カバーを提供する。【解決手段】防護カバー１は害虫防除製剤２の懸下部３の貫通孔５と案内部６にそれぞれ対応する位置に貫通孔１０、切込み１１を設けて、懸下部３を含む害虫防除製剤２の全体を覆うことができ、害虫防除製剤２と共に懸下可能な形状及び構造を有するものである。【選択図】図２【図１】
0006016995.tif 000007
【図２】
0006016995.tif 000008
【図３】
0006016995.tif 000009
【図４】
0006016995.tif 000010
【図５】
0006016995.tif 000011
【図６】
0006016995.tif 000012
【図７】
0006016995.tif 000013
【図８】
0006016995.tif 000014
【図９】
0006016995.tif 000015
【図１０】
0006016995.tif 000016
【図１１】
0006016995.tif 000017
【図１２】
0006016995.tif 000018
【図１３】
0006016995.tif 000019
【図１４】
0006016995.tif 000020